(57)【要約】【課題】  搬送不良や搬送シワの発生し難いキャリアシートを提供する。【解決手段】  原稿を挟んで搬送装置によって搬送されるキャリアシートにおいて、原稿Ｄを載置するための台座シート１と、前記台座シート１との間に原稿Ｄを挟み込む透明シート２と、を備え、前記台座シート１と前記透明シート２を重ね合わせ、且つ前記搬送装置によって搬送される搬送方向先端の縁辺を接合して接合部３を設け、前記縁辺から所定間隔を隔て且つ前記縁辺と略平行に接合して接合部５を設けたことを特徴とする。【選択図】    図１
2006027824.tif 000002
【特許請求の範囲】
【請求項１】
搬送媒体を挟んで搬送装置によって搬送されるキャリアシートにおいて、
搬送媒体を載置するための台座シートと、
前記台座シートとの間に搬送媒体を挟み込む透明シートと、
を備え、
前記台座シートと前記透明シートを重ね合わせ、且つ前記搬送装置によって搬送される搬送方向先端の縁辺を接合して接合部を設け、前記縁辺から所定間隔を隔て且つ前記縁辺と略平行に接合して接合部を設けたことを特徴とするキャリアシート。
【請求項２】
搬送媒体を挟んで搬送装置によって搬送されるキャリアシートにおいて、
搬送媒体を載置するための台座シートと、
前記台座シートとの間に搬送媒体を挟み込む透明シートと、
を備え、
前記台座シートと前記透明シートは前記搬送装置によって搬送される搬送方向先端側が所定量ずれるように重ね合わせ、該重ね合った先端側辺を接合して接合部を設けたことを特徴とするキャリアシート。
【発明の詳細な説明】
【技術分野】
【０００１】
本発明は、シート状媒体を搬送する搬送装置に用いられるキャリアシートに関し、さらに詳しくは写真や新聞の切り抜き、不定形サイズ等の媒体を挟んで搬送させるためのキャリアシートに関するものである。
【背景技術】
【０００２】
今日、画像入力用の画像読取装置は種々開発されているが、その中には読み取り部を固定して原稿を移動させる方式、いわゆるシートスルー方式のものがある。そして近年、それらの画像読取装置を使用した画像入力の回数の増加と共に、シート状の原稿を自動で搬送する自動原稿搬送装置の需要が高まっている。
【０００３】
上記シートスルー方式の画像読取装置に原稿を自動搬送するに際し、写真などの原稿が傷つかないように、あるいは新聞の切り抜きのように原稿が小さい場合や不定形で搬送に制約がある場合に、キャリアシートを用いている。
【０００４】
キャリアシートは、図５に示すように、原稿を載置する台座シート100と画像読み取り側に透明シート200による２枚構成のシートを重ね合わせ、一部の辺を溶着等して接合部300を設けたものである（特許文献１）。
【０００５】
接合部300は、図５(a)に示すように、シート搬送方向先端部の辺に設けたもの、あるいは図５(b)に示すように、先端辺と側辺の一方に設けたものがある。この２枚のシート間に新聞の切り抜き等を挟んでスキャナ等で搬送するものである。
【０００６】
【特許文献１】特開２００１−３４１８７４号公報
【発明の開示】
【発明が解決しようとする課題】
【０００７】
しかしながら従来のようなキャリアシートでは、挟む媒体の厚みが厚い場合などは、キャリアシートを含めた搬送物全体の厚みが厚くなり、搬送装置において搬送不良、搬送シワが発生するという弊害があった。これはシート状媒体搬送装置では、媒体を一枚ずつ搬送させるための分離機構があるためである。
【０００８】
すなわち、一般的な分離機構として図６に示すように、矢印方向に回転する搬送ローラ400に摩擦部材である分離パッド500を圧接させ、このニップ部にシートを搬送させることで複数枚のシートを一枚ずつ分離搬送するものであるが、搬送されるシートが厚いと分離圧が高くなりすぎて、シートが止まってしまうおそれがある。
【０００９】
また、キャリアシートを含めた搬送物全体の厚みが厚くなると、搬送物の剛性が高くなり、特に搬送物の送り先端付近600の剛性が高いと、搬送ローラ400のニップに搬送物が入り難くなってしまう。このため、搬送物がニップに入らずに搬送不良やニップに入っても斜めに搬送されてシワになるおそれがあった。
【００１０】
本発明は上記課題に鑑みてなされたものであり、その目的は、搬送不良や搬送シワの発生し難いキャリアシートを提供するものである。
【課題を解決するための手段】
【００１１】
上記課題を解決するための本発明における代表的な手段は、搬送媒体を挟んで搬送装置によって搬送されるキャリアシートにおいて、搬送媒体を載置するための台座シートと、前記台座シートとの間に搬送媒体を挟み込む透明シートと、を備え、前記台座シートと前記透明シートを重ね合わせ、且つ前記搬送装置によって搬送される搬送方向先端の縁辺を接合して接合部を設け、前記縁辺から所定間隔を隔て且つ前記縁辺と略平行に接合して接合部を設けたことを特徴とする。
【００１２】
また、他の手段は搬送媒体を挟んで搬送装置によって搬送されるキャリアシートにおいて、搬送媒体を載置するための台座シートと、前記台座シートとの間に搬送媒体を挟み込む透明シートと、を備え、前記台座シートと前記透明シートは前記搬送装置によって搬送される搬送方向先端側が所定量ずれるように重ね合わせ、該重ね合った先端側辺を接合して接合部を設けたことを特徴とする。
【発明の効果】
【００１３】
本発明はキャリアシートの先端部において、二枚のシートが一体的に、あるいは一枚のシートのみで構成されているために、搬送媒体を挟んで厚くなったとしても、搬送されるキャリアシートの先端部分は分離機構に確実にニップされ、搬送不良や斜めに搬送されてシワになることが抑制される。
【発明を実施するための最良の形態】
【００１４】
次に本発明の一実施形態に係るキャリアシートについて、図面を参照して具体的に説明する。
【００１５】
〔第１実施形態〕
図１は第１実施形態に係るキャリアシートの説明図であり、図２はキャリアシートを用いて搬送媒体を分離部で搬送するときの状態説明図である。
【００１６】
｛キャリアシート｝
本実施形態のキャリアシートＳは、図１に示すように、搬送媒体である原稿Ｄを載置する台座シート１と、台座シートとの間に原稿Ｄを挟み込み、原稿読み取り面側を覆う透明シート２とを備えている。
【００１７】
前記透明シート２の材質としてはポリエステル樹脂が一般的に用いられるが、透明度があり耐久性のある樹脂シート、例えば塩化ビニルやアクリル等を用いることも可能である。なお、透明度は原稿情報を透過し得ればよいため、半透明であってもよい。
【００１８】
一方の台座シート１はある程度の柔軟性を有するシート状の部材であり、その材質としては透明シート２と同様にポリエステル等の樹脂シートが用いられるが、透明性は要求されないため樹脂以外の紙等を用いることも可能である。なお、台座シート１の色を白色にすれば、読取装置における読み取り基準として用いることができる。
【００１９】
前記台座シート１と透明シート２は同じサイズに形成され、これを重ね合わせ後述する画像読取装置が備える搬送装置によって搬送される際の搬送方向（矢印ａ方向）の先端（上流から下流へ搬送されるとした場合の下流側端部）の縁辺に接合部３が形成されている。
【００２０】
上記接合部３はキャリアシートＳの搬送方向と直交する先端縁辺全体にわたって帯状に設けられており、接着剤による接着や溶着等の方法によって構成され、該部分で台座シート１と透明シート２とが接合されている。なお、本実施形態にあっては超音波溶着によって接合している。
【００２１】
ここで、図１(a)は前記先端縁辺に接合部３を設けたが、(b)に示すように、先端辺と側辺の一方に接合部４を設けるようにしてももちろんよい。
【００２２】
そして、本実施形態のキャリアシートＳは、図１に示すように、前記先端縁辺の接合部３から所定間隔ｙを隔て且つ前記先端縁接合部３と略平行に溶着した接合部５が設けられている。このため、図１(c)に示すように、本実施形態のキャリアシートＳは搬送方向先端から距離ｙの部分にあっては台座シート１と透明シート２とが一体的となり、原稿Ｄを挟めない一体部６が形成されている。
【００２３】
｛キャリアシートの搬送｝
次に上記キャリアシートＳを用いて原稿Ｄを搬送する場合について説明する。
【００２４】
図２は分離機構を有する画像読取装置の模式説明図であり、搬送ローラ７と密着型の読取センサ８とによって読取手段が構成され、この読取手段へ搬送装置となる分離機構によって原稿が一枚ずつ分離給送されるようになっている。
【００２５】
分離機構は矢印方向に回転する搬送ローラ９にバネ10によって摩擦部材である分離パッド11を圧接させ、これらのニップ間に原稿を通過させることで一枚ずつに分離する分離パッド方式が用いられている。
【００２６】
上記のような分離機構に厚手の原稿を搬送した場合、従来は分離圧が高くなりすぎてニップ部へ搬送されないおそれがあったが、本実施形態のキャリアシートＳは前述したように、キャリアシートＳの搬送方向先端から所定範囲に台座シート１と透明シート２とが一体的な一体部６が形成されているために、この部分では見かけ上は一枚のキャリアシートになっている。このため、厚手の原稿を挟んだ場合でも一体部６ではシートの厚さが制限されている。
【００２７】
よって、図２に示すように、このキャリアシートＳは一体部６は分離機構における搬送ローラ９と分離パッド11が形成するニップ部へと円滑に搬送され、読取手段へと搬送されることになる。
【００２８】
なお、前記一体部６の長さｙは分離機構による搬送不良、搬送シワの弊害の出ない長さとなるようにする。例えば、挟む原稿が厚手の場合、搬送ローラ９の回転速度が速い場合には前記長さｙが長いキャリアシートＳを用いるようにする。
【００２９】
〔第２実施形態〕
次に第２実施形態に係る装置について図３及び図４を参照して説明する。なお、図３は第２実施形態に係るキャリアシートの斜視説明図であり、図４はキャリアシートを分離搬送する場合の状態説明図である。なお、ここでは第１実施形態と異なる本実施形態の構成について説明し、前述した実施形態と同一機能を有する部材には同一符号を付す。
【００３０】
前述した第１実施形態にあっては、同一サイズの台座シート１と透明シート２を一致させるように重ね合わしたが、本実施形態のキャリアシートＳは、台座シート１と透明シート２を搬送装置によって搬送される搬送方向先端側が所定量ずれるように重ね合わせ、該重ね合った先端側辺を接合して接合部を設けている。
【００３１】
本実施形態では、図３に示すように、台座シート１よりも透明シート２が搬送方向ａに短くなるように構成し、搬送方向後端が一致するように重ね合わせる。そして、透明シート２の搬送方向先端側縁辺を超音波溶着し、接合部12を設けている。このため、本実施形態のキャリアシートＳは搬送方向先端側の所定範囲ｙが台座シート１のみによって構成されている。
【００３２】
このように構成した場合も、図４に示すように、厚手の原稿を挟んで搬送したとき、キャリアシートＳの搬送方向先端から所定範囲ｙは一枚のシートになっているため、該部分が分離機構における搬送ローラ９と分離パッド11が形成するニップ部へと円滑に搬送されていく。
【００３３】
このため、前述した第１実施形態と同様に、搬送不良、搬送シワの弊害の発生が抑制される。
【図面の簡単な説明】
【００３４】
【図１】第１実施形態に係るキャリアシートの説明図である。
【図２】第１実施形態に係るキャリアシートを用いて搬送媒体を分離部で搬送するときの状態説明図である。
【図３】第２実施形態に係るキャリアシートの斜視説明図である。
【図４】第２実施形態に係るキャリアシートを用いて搬送媒体を分離部で搬送するときの状態説明図である。
【図５】従来技術に係るキャリアシートの説明図である。
【図６】従来技術に係るキャリアシートを用いて搬送媒体を分離部で搬送するときの状態説明図である。
【符号の説明】
【００３５】
Ｄ    …原稿
Ｓ    …キャリアシート
１    …台座シート
２    …透明シート
３    …接合部
４    …接合部
５    …接合部
６    …一体部
７    …搬送ローラ
８    …読取センサ
９    …搬送ローラ
10    …バネ
11    …分離パッド
12    …接合部
【図１】
2006027824.tif 000003
【図２】
2006027824.tif 000004
【図３】
2006027824.tif 000005
【図４】
2006027824.tif 000006
【図５】
2006027824.tif 000007
【図６】
2006027824.tif 000008